(57)【要約】【課題】駆動するデータ線の切り替え時のデータ電位の変動を低減させる。【解決手段】温度センサ５００から温度信号Ｔｃが供給されると、データ線コントローラ１１０は、設定に従って、制御信号（ＣＮ１，ＸＣＮ１，ＣＮ２，ＸＣＮ２，ＣＮ３，ＸＣＮ３）を生成して各選択ユニットＵｒ，Ｕｇ，Ｕｂのトランスミッションゲートに供給し、電荷注入用のＰチャネルトランジスタ（ＴＰ１，ＴＰ２，ＴＰ３）と、電荷引き抜き用のＮチャネルトランジスタ（ＴＮ１，ＴＮ２，ＴＮ３）の動作を制御する。【選択図】図５
2008076596.tif 000002
【特許請求の範囲】
【請求項１】
複数のデータ線、複数の走査線、及び前記データ線と前記走査線との交差に対応して設
けられた複数の画素回路を有する電気光学装置に用いられ、前記複数のデータ線を分割し
たＫ（Ｋは２以上の自然数）本のデータ線ごとに設けられ、Ｋ本のデータ線のうち１本の
データ線を選択するデータ線選択回路であって、
各々が、互いに異なるデータ線と接続されるＫ個の処理ユニットと、
前記Ｋ個の処理ユニットに共通の入力端子とを備え、
前記各処理ユニットは、
前記入力端子と一方の端子とが接続され、他方の端子が前記データ線と接続されたデー
タ線選択用のトランスミッションゲートと、
前記データ線と接続され、前記データ線選択用のトランスミッションゲートのオン・オ
フに同期して、前記データ線に対して電荷の注入及び引抜を行う複数の電荷調整手段とを
備え、
前記データ線選択用のトランスミッションゲートは、並列に接続されたＮチャネルトラ
ンジスタとＰチャネルトランジスタとを備え、
前記複数の電荷調整手段の各々は、
ドレイン電極とソース電極とを短絡した電荷注入用のＰチャネルトランジスタと、ドレ
イン電極とソース電極とを短絡した電荷供給用のＮチャネルトランジスタとを有し、前記
電荷注入用のＰチャネルトランジスタと前記電荷供給用のＮチャネルトランジスタとが並
列に接続される、
ことを特徴とするデータ線選択回路。
【請求項２】
前記データ線選択用のトランスミッションゲートにおけるＮチャネルトランジスタのゲ
ート電極と接続され、選択信号を供給する第１制御線と、
前記データ線選択用のトランスミッションゲートにおけるＰチャネルトランジスタのゲ
ート電極に接続され、前記選択信号を反転した反転選択信号を供給する第２制御線とを備
え、
前記複数の電荷調整手段の各々は、
前記電荷注入用のＰチャネルトランジスタのゲート電極と前記第１制御線との間に設け
られ、接続状態と開放状態とを制御可能な第１スイッチング手段と、
前記第１スイッチング手段が開放状態のとき、前記Ｐチャネルトランジスタのゲート電
極に前記Ｐチャネルトランジスタがオフ状態となる電位を供給する第１電位供給手段と、
前記電荷引抜用のＮチャネルトランジスタのゲート電極と前記第２制御線との間に設け
られ、接続状態と開放状態とを制御可能な第２スイッチング手段と、
前記第２スイッチング手段が開放状態のとき、前記Ｎチャネルトランジスタのゲート電
極に前記Ｎチャネルトランジスタがオフ状態となる電位を供給する第２電位供給手段と、
を備えることを特徴とする請求項１に記載のデータ線選択回路。
【請求項３】
前記第１電位供給手段は、高電位電源と前記Ｐチャネルトランジスタのゲート電極との
間に設けられたプルアップ抵抗であり、
前記第２電位供給手段は、低電位電源と前記Ｎチャネルトランジスタのゲート電極との
間に設けられたプルダウン抵抗である、
ことを特徴とする請求項２に記載のデータ線選択回路。
【請求項４】
前記第１電位供給手段は、高電位電源と前記Ｐチャネルトランジスタのゲート電極との
間に設けられ、前記第１スイッチング手段が開放状態のとき接続状態となり、前記第１ス
イッチング手段が接続状態のとき開放状態となる第３スイッチング手段であり、
前記第２電位供給手段は、低電位電源と前記Ｎチャネルトランジスタのゲート電極との
間に設けられ、前記第２スイッチング手段が開放状態のとき接続状態となり、前記第２ス
イッチング手段が接続状態のとき開放状態となる第４スイッチング手段である、
ことを特徴とする請求項２に記載のデータ線選択回路。
【請求項５】
請求項１乃至４のうちいずれか１項に記載のデータ線選択回路を複数備え、
前記複数のデータ線選択回路の入力端子の各々に前記画素回路を駆動するためのデータ
信号を各々供給するデータ信号分配回路と、
前記複数のデータ線選択回路の各々に前記選択信号及び前記反転選択信号を供給すると
共に、前記複数の電荷調整手段の各々において前記電荷注入用のＰチャネルトランジスタ
と前記電荷引抜用のＮチャネルトランジスタとを独立して制御する制御信号を前記複数の
電荷調整手段に供給する制御手段とを、
備えることを特徴とするデータ線駆動回路。
【請求項６】
前記制御手段は、前記データ線選択用のトランスミッションゲートにおけるＮチャネル
トランジスタ及びＰチャネルトランジスタのゲート・ソース間容量の変化を示す指標に基
づいて、前記制御信号を生成することを特徴とする請求項５に記載のデータ線駆動回路。
【請求項７】
前記制御手段は、温度を検出する温度検出手段を備え、該温度検出手段により検出され
た温度を前記指標として用いることを特徴とする請求項６に記載のデータ線駆動回路。
【請求項８】
前記制御手段は、テスト用のＰチャネルトランジスタ及びテスト用のＮチャネルトラン
ジスタと、当該テスト用のＰチャネルトランジスタ及びテスト用のＮチャネルトランジス
タの電気的な特性を測定する測定手段とを備え、該測定手段により測定された測定結果を
前記指標として用いることを特徴とする請求項６に記載のデータ線駆動回路。
【請求項９】
複数のデータ線と、
複数の走査線と、
前記データ線と前記走査線との交差に対応して設けられた複数の画素回路と、
請求項５乃至８のうちいずれか１項に記載のデータ線駆動回路とを、
備えることを特徴とする電気光学装置。
【請求項１０】
請求項９に記載の電気光学装置を備えることを特徴とする電子機器。
【発明の詳細な説明】
【技術分野】
【０００１】
本発明は、複数のデータ線を選択する技術に関する。
【背景技術】
【０００２】
カラー表示装置として、色フィルタを用いた液晶表示装置が知られている。液晶表示装
置は、液晶の印加電圧を制御することによって、液晶の透過率を調整して階調を表示する
。このような液晶表示装置では、複数の走査線と、複数のデータ線と、走査線とデータ線
の交差に対応して画素電極がマトリクス状に配置され、画素電極と対向電極との間に液晶
が挟持されている。そして、データ線に表示すべき階調に応じた電圧信号を供給して、液
晶容量に電圧を書き込む。
【０００３】
このような表示装置では、液晶パネル外部に接続する信号線数を抑制するために、時分
割により、各色の画素間でデータ線を共用し、デマルチプレクサで各色毎の信号を分離す
るようになっている（例えば特許文献１および特許文献２）。
【０００４】
Ｎチャネルトランジスタによるシングルゲートのデマルチプレクサは、図１２のように
構成され、データ入力端子から入力された信号Ｄｉが、選択信号（ＳＥＬ＿Ｒ，ＳＥＬ＿
Ｇ，ＳＥＬ＿Ｂ）に従って、各色の画素回路に供給されるようになっている。トランジス
タのゲート・ソース間容量をＣgs、データ線の容量をＣdataとすると、各選択信号をロー
レベルにして各トランジスタをオフにした際のデータ線の電位の変動ΔVは、各選択信号
の振幅をＶｈとすると以下に示す式（１）で与えられる。
【数１】
2008076596.tif 000003
【０００５】
図１３に示すデマルチプレクサでは、ゲート用トランジスタのスイッチングによってデ
ータ線の電位が変動するため、正しく階調制御が行えないという問題があった。そこで、
データ線の電位の変動を抑制するために、図１２に示すようなトランスミッションゲート
を用いたデマルチプレクサも知られている（特許文献３）。このようなトランスミッショ
ンゲートを用いたデマルチプレクサでは、Ｎチャネルトランジスタのゲート・ソース間容
量をＣgsnとし、Ｐチャネルトランジスタのゲート・ソース間容量をＣgspとし、データ線
の容量をＣdataとすると、データ線の電位の変動ΔVは以下に示す式（２）で与えられる
。
【数２】
2008076596.tif 000004
【特許文献１】特開２００６−６５３２８号公報（図２および図３）
【特許文献２】特開２００６−１１３５４８号公報（図２および図３）
【特許文献３】特開２００４−１７０７６６号公報（図３）
【発明の開示】
【発明が解決しようとする課題】
【０００６】
しかしながら、特許文献３に開示されたトランスミッションゲートを用いた構成におい
ても、製造時のばらつきなどによって、各トランジスタのゲート・ソース間容量Ｃgsn，
Ｃgspが異なると、データ線の電位が変動する。このため、縦方向の画素の階調が変動し
、縦筋が発生する問題があった。
本発明は、このような事情に鑑みてなされたものであり、駆動するデータ線の切り替え
時のデータ電位の変動を低減させ、縦筋の発生を抑制するという課題の解決を目的として
いる。
【課題を解決するための手段】
【０００７】
この課題を解決するために、本発明に係るデータ線選択回路（例えば、図２に示すＤＭ
Ｐ１）は、複数のデータ線、複数の走査線、及び前記データ線と前記走査線との交差に対
応して設けられた複数の画素回路を有する電気光学装置に用いられ、前記複数のデータ線
を分割したＫ（Ｋは２以上の自然数）本のデータ線ごとに設けられ、Ｋ本のデータ線のう
ち１本のデータ線を選択するものであって、各々が、互いに異なるデータ線と接続される
Ｋ個の処理ユニット（例えば、図３に示すＵｒ，Ｕｇ，Ｕｂ）と、前記Ｋ個の処理ユニッ
トに共通の入力端子（例えば、図３に示すＩＮ）とを備え、前記各処理ユニットは、前記
入力端子と一方の端子とが接続され、他方の端子が前記データ線と接続されたデータ線選
択用のトランスミッションゲート（例えば、図５に示す１０）と、前記データ線と接続さ
れ、前記データ線選択用のトランスミッションゲートのオン・オフに同期して、前記デー
タ線に対して電荷の注入及び引抜を行う複数の電荷調整手段（例えば、図５に示す３０、
４０、５０）とを備え、前記データ線選択用のトランスミッションゲートは、並列に接続
されたＮチャネルトランジスタ（例えば、図５に示す１１）とＰチャネルトランジスタ（
例えば、図５に示す１２）とを備え、前記複数の電荷調整手段の各々は、ドレイン電極と
ソース電極とを短絡した電荷注入用のＰチャネルトランジスタ（例えば、図５に示すＴＰ
１〜ＴＰ３）と、ドレイン電極とソース電極とを短絡した電荷供給用のＮチャネルトラン
ジスタ（例えば、図５に示すＴＮ１〜ＴＮ３）とを有し、前記電荷注入用のＰチャネルト
ランジスタと前記電荷供給用のＮチャネルトランジスタとが並列に接続されることを特徴
とする。
【０００８】
データ線選択用のトランスミッションゲートはＮチャネルトランジスタとＰチャネルト
ランジスタで構成される。仮に、これらのトランジスタのゲート・ソース間の容量が等し
ければ、トランスミッションゲートがオン状態からオフ状態に切り替わるときに、データ
線からの電荷の移動はない。しかしながら、製造のばらつきや温度の変化などに起因して
、両者のゲート・ソース間容量は不一致となることが多い。この発明によれば、複数の電
荷調整手段を備え、各電荷調整手段は電荷注入用のＰチャネルトランジスタとＮチャネル
トランジスタで構成される。したがって、データ線選択用のトランスミッションゲートを
構成するＮチャネルトランジスタ及びＰチャネルトランジスタのゲート・ソース間容量の
ばらつきを正確に補償することができる。
【０００９】
データ選択回路の具体的な態様としては、前記データ線選択用のトランスミッションゲ
ートにおけるＮチャネルトランジスタのゲート電極と接続され、選択信号（例えば、図５
に示すＳＥＬｒ）を供給する第１制御線（例えば、図５に示すＬ１）と、前記データ線選
択用のトランスミッションゲートにおけるＰチャネルトランジスタのゲート電極に接続さ
れ、前記選択信号を反転した反転選択信号（例えば、図５に示すＸＳＥＬｒ）を供給する
第２制御線（例えば、図５に示すＬ２）とを備え、前記複数の電荷調整手段の各々は、前
記電荷注入用のＰチャネルトランジスタのゲート電極と前記第１制御線との間に設けられ
、接続状態と開放状態とを制御可能な第１スイッチング手段（例えば、図５に示すＧＰ１
〜ＧＰ３）と、前記第１スイッチング手段が開放状態のとき、前記Ｐチャネルトランジス
タのゲート電極に前記Ｐチャネルトランジスタがオフ状態となる電位を供給する第１電位
供給手段（例えば、図５に示すＲｕ）と、前記電荷引抜用のＮチャネルトランジスタのゲ
ート電極と前記第２制御線との間に設けられ、接続状態と開放状態とを制御可能な第２ス
イッチング手段（例えば、図５に示すＧＮ１〜ＧＮ３）と、前記第２スイッチング手段が
開放状態のとき、前記Ｎチャネルトランジスタのゲート電極に前記Ｎチャネルトランジス
タがオフ状態となる電位を供給する第２電位供給手段（例えば、図５に示すＲｄ）とを備
えることが好ましい。
【００１０】
この発明によれば、データ線選択用のＰチャネルトランジスタ及びＮチャネルトランジ
スタがオン状態からオフ状態に変化するときに、電荷注入用のＰチャネルトランジスタ及
び電荷引抜用のＮチャネルトランジスタをオフ状態からオン状態に変化させてデータ線に
対する電荷の移動をキャンセルすることができる。また、電荷注入用のＰチャネルトラン
ジスタ及び電荷引抜用のＮチャネルトランジスタを補償に用いない場合には、オフ状態に
する電位をゲート電極に供給するので、電荷注入用のＰチャネルトランジスタ及び電荷引
抜用のＮチャネルトランジスタがフローティング状態になることを回避して正確に補償動
作を実行することが可能となる。
【００１１】
ここで、前記第１電位供給手段は、高電位電源と前記Ｐチャネルトランジスタのゲート
電極との間に設けられたプルアップ抵抗であり、前記第２電位供給手段は、低電位電源と
前記Ｎチャネルトランジスタのゲート電極との間に設けられたプルダウン抵抗であること
が好ましい。この場合には、第１及び第２電位供給手段を簡易に構成することができる。
【００１２】
また、前記第１電位供給手段は、高電位電源と前記Ｐチャネルトランジスタのゲート電
極との間に設けられ、前記第１スイッチング手段が開放状態のとき接続状態となり、前記
第１スイッチング手段が接続状態のとき開放状態となる第３スイッチング手段であり、前
記第２電位供給手段は、低電位電源と前記Ｎチャネルトランジスタのゲート電極との間に
設けられ、前記第２スイッチング手段が開放状態のとき接続状態となり、前記第２スイッ
チング手段が接続状態のとき開放状態となる第４スイッチング手段であることが好ましい
。この場合には、各トランジスタの寄生容量の影響を低減させ、容量の調整をより確実に
行うことが可能となる。
【００１３】
次に、本発明に係るデータ線駆動回路は、上述したデータ線選択回路を複数備え、前記
複数のデータ線選択回路の入力端子の各々に前記画素回路を駆動するためのデータ信号を
各々供給するデータ信号分配回路と、前記複数のデータ線選択回路の各々に前記選択信号
及び前記反転選択信号を供給すると共に、前記複数の電荷調整手段の各々において前記電
荷注入用のＰチャネルトランジスタと前記電荷引抜用のＮチャネルトランジスタとを独立
して制御する制御信号を前記複数の電荷調整手段に供給する制御手段（例えば、図２に示
す２１０）とを備える。この発明によれば、データ線を選択してデータ信号を供給する場
合に、データ線選択用のＰチャネルトランジスタ及びＮチャネルトランジスタのゲート・
ソース間容量に起因するデータ線に対する電荷移動を補償することができるので、いわゆ
る筋ムラを抑制することが可能となる。
【００１４】
ここで、前記制御手段は、前記データ線選択用のトランスミッションゲートにおけるＮ
チャネルトランジスタ及びＰチャネルトランジスタのゲート・ソース間容量の変化を示す
指標に基づいて、前記制御信号を生成することが好ましい。この場合には、温度や経時変
化といった変動要因に追随してデータ線に対する電荷移動を補償することができる。
さらに、前記制御手段は、温度を検出する温度検出手段（例えば、図１に示す５００）
を備え、該温度検出手段により検出された温度を前記指標として用いてもよい。あるいは
、前記制御手段は、テスト用のＰチャネルトランジスタ及びテスト用のＮチャネルトラン
ジスタと、当該テスト用のＰチャネルトランジスタ及びテスト用のＮチャネルトランジス
タ（例えば、図８に示すＴｐ、Ｔｎ）の電気的な特性を測定する測定手段（例えば、図８
に示す５１０）とを備え、該測定手段により測定された測定結果を前記指標として用いる
ことが好ましい。
【００１５】
次に、本発明に係る電気光学装置は、複数のデータ線と、複数の走査線と、前記データ
線と前記走査線との交差に対応して設けられた複数の画素回路と、上述したデータ線駆動
回路とを備える。この発明によれば、筋ムラを抑制して表示品質を大幅に向上させること
ができる。
次に、本発明に係る電子機器は、上述した電気光学装置を備える。このような電子機器
としては、携帯電話機、パーソナルコンピュータ、デジタルカメラ等が該当する。
【発明を実施するための最良の形態】
【００１６】
＜Ａ：第１実施形態＞
図１は、本発明の第１実施形態に係る電気光学装置の概略構成を示すブロック図である
。電気光学装置１は、電気光学パネルＡＡと外部回路を備える。電気光学パネルＡＡには
、画素領域Ａ、走査線駆動回路１００、データ線駆動回路２００及び温度センサ５００が
形成される。このうち、画素領域Ａには、Ｘ方向と平行にｍ本の走査線１０１が形成され
る。また、Ｘ方向と直交するＹ方向と平行に３ｎ本のデータ線１０３が形成される。そし
て、走査線１０１とデータ線１０３との各交差に対応して画素回路４００が各々設けられ
ている。画素回路４００はＯＬＥＤ素子を含んでいる。図に示す「Ｒ」、「Ｇ」、および
「Ｂ」の符号は、ＯＬＥＤ素子の発光色を示している。この例にあっては、データ線１０
３に沿って各色の画素回路４００が配列されている。
【００１７】
また、各画素回路４００のうち、Ｒ色に対応する画素回路４００は電源線ＬＲと接続さ
れており、Ｇ色に対応する画素回路４００は電源線ＬＧと接続されており、Ｂ色に対応す
る画素回路４００は電源線ＬＢに接続されている。電源回路６００は、電源電圧Ｖｄｄｒ
、Ｖｄｄｇ、およびＶｄｄｂを生成する。電源電圧Ｖｄｄｒ、Ｖｄｄｇ、およびＶｄｄｂ
は、電源線ＬＲ、ＬＧおよびＬＢを介して、ＲＧＢ各色に対応する画素回路４００に供給
される。温度センサ５００は、温度を測定し、測定した温度を示す温度信号Ｔｃを出力す
る。
【００１８】
走査線駆動回路１００は、複数の走査線１０１を順次選択するための走査信号Ｙ１、Ｙ
２、Ｙ３、…、Ｙｍを生成して、各画素回路４００に各々供給する。走査信号Ｙ１は、１
垂直走査期間（１Ｆ）の最初のタイミングから、１水平走査期間（１Ｈ）に相当する幅の
パルスであって、１行目の走査線１０１に供給される。以降、このパルスを順次シフトし
て、２、３、…、ｍ行目の走査線１０１の各々に走査信号Ｙ２、Ｙ３、…、Ｙｍとして供
給する。一般的にｉ（ｉは、１≦ｉ≦ｍを満たす整数）行目の走査線１０１に供給される
走査信号ＹｉがＨレベルになると、当該走査線１０１が選択される。
【００１９】
データ線駆動回路２００は、選択された走査線１０１に位置する画素回路４００の各々
に対し階調信号Ｘｒ１、Ｘｇ１、Ｘｂ１、Ｘｒ２、Ｘｇ２、Ｘｂ２、…、Ｘｒｎ、Ｘｇｎ
、Ｘｂｎを供給する。この例において、階調信号Ｘｒ１〜Ｘｂｎは階調輝度を指示する電
圧信号として与えられる。なお、以下の説明において、添え字の「ｒ」はＲ色に、「ｇ」
はＧ色に、「ｂ」はＢ色に対応することを各々示す。また、このデータ線駆動回路２００
は、温度センサ５００の温度信号Ｔｃに応じた補償動作を実行するようになっている。
【００２０】
制御回路３００は、各種の制御信号を生成してこれらを走査線駆動回路１００およびデ
ータ線駆動回路２００に供給する。また、制御回路３００は、例えば１０ビットの階調デ
ータＤｏｕｔをデータ線駆動回路２００へ出力する。なお、この例では、制御回路３００
および電源回路６００を、電気光学パネルＡＡの外部に設けたが、これらの構成要素の一
部又は全部を電気光学パネルＡＡに取り込んでもよい。更に、電気光学パネルＡＡに設け
られた構成要素の一部を外部回路として設けてもよい。
【００２１】
図２は、データ線駆動回路２００の構成を示すブロック図である。データ線駆動回路２
００には、３本のデータ線１０３毎に、デマルチプレクサＤＭＰ１，ＤＭＰ，…，ＤＭＰ
ｎが設けられている。また、データ線駆動回路２００は、駆動するデータ線１０３を選択
するデータ線コントローラ２１０と、データ線駆動回路２００からの階調データＤｏｕｔ
を各デマルチプレクサＤＭＰｉ（ｉ＝１，２，…，ｎ）に分配するデータ信号分配回路２
２０を備えている。各々のデマルチプレクサＤＭＰ１，ＤＭＰ２，…，ＤＭＰｎには、デ
ータ線コントローラ２１０からの制御信号および選択信号と、データ信号分配回路２２０
からの駆動信号Ｄｉ等が供給されている。
【００２２】
データ線コントローラ２１０は、制御回路３００からのＸ開始パルスＤＸとＸクロック
信号ＸＣＬＫに基づいて選択信号を生成する。選択信号は、駆動するデータ線１０３を順
次選択すると共に、対応するデマルチプレクサＤＭＰｉと当該デマルチプレクサＤＭＰｉ
に接続されたデータ線１０３のいずれを選択するかを指示する。データ信号分配回路２２
０は、シリアルパラレル変換回路，シフトレジスタ，ラッチ回路およびＡＤ変換回路等を
備えている。シフトレジスタは、Ｘ転送開始パルスＤＸをＸクロック信号ＸＣＬＫに同期
して順次転送して、点順次のラッチ信号を生成する。ラッチ回路はラッチ信号を用いて階
調データＤｏｕｔをラッチする。ＡＤ変換回路は、ラッチされた階調データＤｏｕｔに応
じた駆動信号Ｄｉ（階調信号Ｘｒｉ（ｉ＝１，２，…，ｎ），Ｘｇｉ，Ｘｂｉ）を生成し
、対応するデマルチプレクサＤＭＰｉに供給する。
【００２３】
図３は、各々のデマルチプレクサＤＭＰｉ（ｉ＝１，２，…，ｎ）の構成を示すブロッ
ク図である。各々のデマルチプレクサＤＭＰｉは、Ｒ，Ｇ，Ｂの各色に対応する選択ユニ
ットＵｒ，Ｕｇ，Ｕｂを備える。各々の選択ユニットＵｒ，Ｕｇ，Ｕｂには、データ線コ
ントローラ２１０からの制御信号ＣＮ１，ＸＣＮ１（ＣＮ１の反転信号を示す。以下、同
様。），ＣＮ２，ＸＣＮ２，ＣＮ３，ＸＣＮ３，ＣＰ１，ＸＣＰ１，ＣＰ２，ＸＣＰ２，
ＣＰ３，ＸＣＰ３が供給されている。また、選択ユニットＵｒには、データ線コントロー
ラ２１０からの選択信号ＳＥＬｒ，ＸＳＥＬｒが供給されている。選択ユニットＵｇには
、データ線コントローラ２１０からの選択信号ＳＥＬｇ，ＸＳＥＬｇが供給されている。
選択ユニットＵｂには、データ線コントローラ２１０からの選択信号ＳＥＬｂ，ＸＳＥＬ
ｂが供給されている。また、各々の選択ユニットＵｒ，Ｕｇ，Ｕｂには、データ信号分配
回路２２０から共通の入力端子ＩＮを介して駆動信号Ｄｉ（ｉ＝１，２，…，ｎ）が供給
されている。
【００２４】
図４は、データ線駆動回路２００の動作を示すタイミングチャートである。データ信号
分配回路２２０からの駆動信号Ｄｉは、同図中に示すように、各選択ユニットＵｒ，Ｕｇ
，Ｕｂ宛ての階調信号Ｘｒｉ，Ｘｂｉ，Ｘｇｉが時分割多重されて選択ユニットＵｒ，Ｕ
ｇ，Ｕｂに共通に供給されている。各々選択ユニットＵｒ，Ｕｇ，Ｕｂは、データ線コン
トローラ２１０からの選択信号（ＳＥＬｒ，ＸＳＥＬｒ，ＳＥＬｇ，ＸＳＥＬｇ，ＳＥＬ
ｂ，ＸＳＥＬｂ）に応じて、駆動信号Ｄｉから階調信号Ｘｒｉ，Ｘｂｉ，Ｘｇｉを抽出し
、各々対応するデータ線１０３に出力する。
【００２５】
図５は、個々の選択ユニットＵｒ（Ｕｇ，Ｕｂ）の構成を示す回路図である。この実施
例の選択ユニットＵｒは、データ線選択用のトランスミッションゲート１０と、データ線
の電荷を補償する電荷調整部３０、４０、及び５０を備える。データ線選択用のトランス
ミッションゲート１０は、Ｎチャネルトランジスタ１１とＰチャネルトランジスタ１２と
が並列に接続されて構成される。そして、Ｎチャネルトランジスタ１１のゲート電極は第
１制御線Ｌ１と接続され、第１制御線Ｌ１を介して選択信号ＳＥＬｒが供給される。一方
、Ｐチャネルトランジスタのゲート電極は第２制御線Ｌ２と接続され、第２制御線Ｌ２を
介して選択信号ＸＳＥＬｒが供給される。選択信号ＸＳＥＬｒは選択信号ＳＥＬｒを反転
したものである。
【００２６】
また、電荷調整部３０〜５０には、データ線に電荷を注入するＰチャネルトランジスタ
とデータ線から電荷を引き抜くＮチャネルトランジスタを各々複数設けている。各々のＰ
チャネルトランジスタ（ＴＰ１，ＴＰ２，ＴＰ３）のゲートには、各々差動電圧として供
給される制御信号（ＣＰ１，ＸＣＰ１，ＣＰ２，ＸＣＰ２，ＣＰ３，ＸＣＰ３）によって
開閉されるトランスミッションゲートＧＰ１，ＧＰ２，ＧＰ３を介して選択信号ＳＥＬが
供給され得る構成になっている。また、各々のＮチャネルトランジスタ（ＴＮ１，ＴＮ２
，ＴＮ３）のゲートには、各々差動電圧として供給される制御信号（ＣＮ１，ＸＣＮ１，
ＣＮ２，ＸＣＮ２，ＣＮ３，ＸＣＮ３）によって開閉されるトランスミッションゲートＧ
Ｎ１，ＧＮ２，ＧＮ３を介して選択信号ＸＳＥＬが供給され得る構成になっている。また
、電荷注入用のＰチャネルトランジスタ（ＴＰ１，ＴＰ２，ＴＰ３）は、プルアップ抵抗
Ｒｕを介して高電位Ｖｈに接続されており、電荷引き抜き用のＮチャネルトランジスタ（
ＴＮ１，ＴＮ２，ＴＮ３）はプルダウン抵抗Ｒｄを介して低電位に接地されている。
【００２７】
＜Ｂ：電気光学装置の動作＞
データ線コントローラ２１０には、予め温度信号Ｔｃに対応する制御信号ＣＮ１，ＸＣ
Ｎ１，ＣＮ２，ＸＣＮ２，ＣＮ３，ＸＣＮ３の値が設定されており、温度センサ５００の
温度信号Ｔｃから供給される温度信号Ｔｃに応じて各制御信号ＣＮ１，ＸＣＮ１，ＣＮ２
，ＸＣＮ２，ＣＮ３，ＸＣＮ３を生成して各選択ユニットＵｒ，Ｕｇ，Ｕｂに供給する。
【００２８】
ここで、図６に示すように電荷注入用のＰチャネルトランジスタＴＰ１と電荷引き抜き
用のＮチャネルトランジスタＴＮ１が各々１つである場合には、データ線の電位の変動Δ
Ｖは以下に示す式（３）で与えられる。
【数３】
2008076596.tif 000005
【００２９】
但し、Ｃgspは電荷注入用のＰチャネルトランジスタＴＰ１のゲート・ソース間容量，
Ｃgsnは電荷引き抜き用のＮチャネルトランジスタＴＮ１のゲート・ソース間容量，Ｃpは
電荷注入用のトランジスタＴＰ１のゲート・ソース間とゲート・ドレイン間の寄生容量の
和，Ｃnは電荷引き抜き用のトランジスタＴＮ１のゲート・ソース間とゲート・ドレイン
間の寄生容量の和である。ＰチャネルトランジスタＴＰ１とＮチャネルトランジスタＴＮ
１が対称であれば、容量Ｃgspと容量Ｃgsnが同じになってΔＶは０に近くなるが、これら
の容量はＣgsp，Ｃgsnには製造時のばらつきや、温度に依存して変化する。
【００３０】
このため、この実施形態では、図５に示すように、電荷注入用のＰチャネルトランジス
タと電荷引き抜き用のＮチャネルトランジスタを複数設け、データ線コントローラ２１０
が温度センサ５００の温度信号Ｔｃに応じて、各トランジスタの動作を制御する。選択ユ
ニットＵｒでは、上述のＣgspに対応するのは、各トランジスタＴＰ１，ＴＰ２，ＴＰ３
のゲート・ソース間容量Ｃｇｓp1，Ｃｇｓp2，Ｃｇｓp3が並列に接続された値になる。ト
ランスミッションゲートＧＰ１，ＧＰ２，ＧＰ３によって、選択信号ＳＥＬｒが供給され
ていないトランジスタのゲート・ソース間容量は接続されていない状態になるので、例え
ばトランジスタＴＰ１およびＴＰ２のみに選択信号ＳＥＬｒが供給された場合には、これ
らのトランジスタのゲート・ソース間容量Ｃｇｓp1，Ｃｇｓp2が並列に接続された値とな
る。
【００３１】
同様に、上述のＣgsnに対応するのは、各トランジスタＴＮ１，ＴＮ２，ＴＮ３のゲー
ト・ソース間容量Ｃｇｓn1，Ｃｇｓn2，Ｃｇｓn3が並列に接続された値になるが、トラン
スミッションゲートＧＮ１，ＧＮ２，ＧＮ３によって選択信号ＸＳＥＬｒが供給されてい
ないトランジスタのゲート・ソース間容量は接続されていない状態になるので、例えば各
トランジスタＴＮ１，ＴＮ２のみに選択信号ＸＳＥＬｒが供給された場合には、これらの
トランジスタのゲート・ソース間容量Ｃｇｓn1，Ｃｇｓn2が並列に接続された値となる。
【００３２】
本実施形態では、トランスミッションゲートＧＮ１〜ＧＮ３およびＧＰ１〜ＧＰ３のオ
ン・オフを独立して制御するので、データ線１０３に注入する電荷量と、データ線から引
き抜く電荷量をバランスさせることができる。
【００３３】
上述したようにゲート・ソース間容量Ｃｇｓは温度に依存する。このため、予め温度に
対する電荷注入用のＰチャネルトランジスタ（ＴＰ１，ＴＰ２，ＴＰ３）および電荷引き
抜き用のＮチャネルトランジスタ（ＴＮ１，ＴＮ２，ＴＮ３）のゲート・ソース間容量Ｃ
ｇｓの変化を測定し、この変化をキャンセルし得るように、各制御信号ＣＮ１，ＸＣＮ１
，ＣＮ２，ＸＣＮ２，ＣＮ３，ＸＣＮ３の状態を設定する。具体的には、データ線コント
ローラ２１０に、温度と制御信号の状態とを対応付けて記憶したテーブルを格納し、これ
を参照して、各制御信号ＣＮ１，ＸＣＮ１，ＣＮ２，ＸＣＮ２，ＣＮ３，ＸＣＮ３を生成
する。これにより、温度変化に応じた各トランジスタのゲート・ソース間容量Ｃｇｓの変
化によるデータ線の電位の変動を抑制することができる。この結果、データ線の電位の変
動による表示面の縦筋の発生を抑制することができる。
【００３４】
また、各トランジスタ（ＴＰ１，ＴＰ２，ＴＰ３）の大きさを、例えば１：２：４とし
、各トランジスタ（ＴＮ１，ＴＮ２，ＴＮ３）の大きさを、例えば１：２：４としてもよ
い。各々のトランジスタのゲート・ソース間容量は、トランジスタの大きさに相関がある
ため、このように各トランジスタの大きさを異ならせることにより、容量の調整を段階的
に行うことができる。
【００３５】
＜Ｃ：第２実施形態＞
図７は、本発明の第２実施形態に係る電気光学装置を構成する選択ユニットＵｒ（Ｕｇ
，Ｕｂ）の構成を示す回路図である。この第２実施形態に係る電気光学装置は、選択ユニ
ットＵｒ（Ｕｇ，Ｕｂ）の回路構成が異なる以外は、上述の第１実施形態と同様に構成さ
れている。上述の第１実施形態では、電荷注入用のＰチャネルトランジスタ（ＴＰ１，Ｔ
Ｐ２，ＴＰ３）は、プルアップ抵抗Ｒｕを介して高電位Ｖｈに接続されており、電荷引き
抜き用のＮチャネルトランジスタ（ＴＮ１，ＴＮ２，ＴＮ３）はプルダウン抵抗Ｒｄを介
して低電位に接地されていた。これに対し、この実施形態では、トランスミッションゲー
トＷを介してプルアップされ、トランスミッションゲートＺを介してプルダウンされてい
る。
【００３６】
このような構成することにより、抵抗を介してプルアップ乃至プルダウンした場合に比
較して、各トランジスタの寄生容量の影響を低減させ、容量の調整をより確実に行うこと
が可能となる。
【００３７】
＜Ｄ：変形例＞
上述の各実施形態では、温度センサ５００の温度信号Ｔｃに応じて、各トランジスタ（
ＴＰ１，ＴＰ２，ＴＰ３，ＴＮ１，ＴＮ２，ＴＮ３）の動作を制御していたが、例えば図
８に示すように、電気光学パネルＡＡ上にモニタ用のトランジスタ（Ｐチャネルトランジ
スタＴｐ，ＮチャネルトランジスタＴｎ）を設けておき、これらのトランジスタの容量（
Ｃｇｓ）をセンサ５１０で測定し、この容量の変化に応じて、各トランジスタ（ＴＰ１，
ＴＰ２，ＴＰ３，ＴＮ１，ＴＮ２，ＴＮ３）の動作を制御するようにしてもよい。これに
より、同一のパネル上に形成されたトランジスタの容量の変化に応じた、より精度の高い
制御を行うことができる。
【００３８】
＜Ｅ：応用例＞
次に、本発明に係る電気光学装置１を利用した電子機器について説明する。図９は、以
上に説明した何れかの形態に係る電気光学装置１を表示装置として採用したモバイル型の
パーソナルコンピュータの構成を示す斜視図である。パーソナルコンピュータ２０００は
、表示装置としての電気光学装置１と本体部２０１０とを備える。本体部２０１０には、
電源スイッチ２００１およびキーボード２００２が設けられている。この電気光学装置１
は電気光学素子１１にＯＬＥＤ素子を使用しているので、視野角が広く見易い画面を表示
できる。
【００３９】
図１０に、実施形態に係る電気光学装置１を適用した携帯電話機の構成を示す。携帯電
話機３０００は、複数の操作ボタン３００１およびスクロールボタン３００２、ならびに
表示装置としての電気光学装置１を備える。スクロールボタン３００２を操作することに
よって、電気光学装置１に表示される画面がスクロールされる。
【００４０】
図１１に、実施形態に係る電気光学装置１を適用した携帯情報端末（ＰＤＡ：Personal
Digital Assistants）の構成を示す。情報携帯端末４０００は、複数の操作ボタン４０
０１および電源スイッチ４００２、ならびに表示装置としての電気光学装置１を備える。
電源スイッチ４００２を操作すると、住所録やスケジュール帳といった各種の情報が電気
光学装置１に表示される。
【００４１】
なお、本発明に係る電気光学装置が適用される電子機器としては、図９から図１１に示
したもののほか、デジタルスチルカメラ、テレビ、ビデオカメラ、カーナビゲーション装
置、ページャ、電子手帳、電子ペーパー、電卓、ワードプロセッサ、ワークステーション
、テレビ電話、ＰＯＳ端末、プリンタ、スキャナ、複写機、ビデオプレーヤ、タッチパネ
ルを備えた機器等などが挙げられる。また、本発明に係る電気光学装置の用途は画像の表
示に限定されない。例えば、光書込み型のプリンタや電子複写機といった画像形成装置に
おいては、用紙などの記録材に形成されるべき画像に応じて感光体を露光する書込みヘッ
ドが使用されるが、この種の書込みヘッドとしても本発明の電気光学装置は利用される。
本発明にいう電子回路とは、各実施形態のように表示装置の画素を構成する画素回路のほ
か、画像形成装置における露光の単位となる回路をも含む概念である。
【図面の簡単な説明】
【００４２】
【図１】本発明の第１実施形態に係る電気光学装置の構成を示すブロック図である。
【図２】電気光学装置を構成するデータ線駆動回路の構成を示すブロック図である。
【図３】データ線駆動回路を構成するデマルチプレクサの構成を示すブロック図である。
【図４】各信号の波形を示すタイミングチャートである。
【図５】電気光学装置を構成する選択ユニットの構成を示す回路図である。
【図６】選択ユニットの一部の構成例を示す回路図である。
【図７】本発明の第２実施形態に係る電気光学装置を構成する選択ユニットの構成を示す回路図である。
【図８】変形例に係る電気光学装置の構成を示す回路図である。
【図９】本発明に係る電子機器の具体的な形態を示す斜視図である。
【図１０】本発明に係る電子機器の具体的な形態を示す斜視図である。
【図１１】本発明に係る電子機器の具体的な形態を示す斜視図である。
【図１２】従来のデマルチプレクサの構成を示す回路図である。
【図１３】従来のデマルチプレクサの構成を示す回路図である。
【符号の説明】
【００４３】
１……電気光学装置、１００……走査線駆動回路、１０１……走査線、１０３……デー
タ線、２００……データ線駆動回路、２１０……データ線コントローラ、２２０……デー
タ信号分配回路、４００……画素回路、５００……温度センサ、５１０……センサ、Ａ…
…画素領域、ＡＡ……電気光学パネル、ＧＰ１，ＧＰ２，ＧＰ３，ＧＮ１，ＧＮ２，ＧＮ
３……トランスミッションゲート、ＤＭＰｉ……デマルチプレクサ、ＴＰ１，ＴＰ２，Ｔ
Ｐ３，ＴＮ１，ＴＮ２，ＴＮ３……トランジスタ、Ｕｒ，Ｕｇ，Ｕｂ……選択ユニット。
【図１】
2008076596.tif 000006
【図２】
2008076596.tif 000007
【図３】
2008076596.tif 000008
【図４】
2008076596.tif 000009
【図５】
2008076596.tif 000010
【図６】
2008076596.tif 000011
【図７】
2008076596.tif 000012
【図８】
2008076596.tif 000013
【図９】
2008076596.tif 000014
【図１０】
2008076596.tif 000015
【図１１】
2008076596.tif 000016
【図１２】
2008076596.tif 000017
【図１３】
2008076596.tif 000018